(57)【要約】【課題】コネクタ構造体の小型化を図ると共に、製造コストを低減させる。【解決手段】複数のタブ１５を連結する基部１６を有するジョイント端子１３がジョイントコネクタハウジング１４に収容されたジョイントコネクタ１１と、ジョイントコネクタ１１と嵌合可能であって、電線２２に接続された雌端子２３を収容する電線用コネクタハウジング１９を有する電線用コネクタ１２と、を含むコネクタ構造体１０であって、電線用コネクタハウジング１９は、電線２２の配索される領域に、電線２２の外周にフェライトコア４０を配置可能な配置部４４を有する。【選択図】図５
2019102410.tif 000002
【特許請求の範囲】
【請求項１】
複数のタブを連結する基部を有するジョイント端子がジョイントコネクタハウジングに収容されたジョイントコネクタと、
前記ジョイントコネクタと嵌合可能であって、電線に接続された端子を収容する電線用コネクタハウジングを有する電線用コネクタと、を含むコネクタ構造体であって、
前記電線用コネクタハウジングは、前記電線の配索される領域に、前記電線の外周にフェライトコアを配置可能な配置部を有する、コネクタ構造体。
【請求項２】
前記電線用コネクタハウジングは、２本の電線の端末のそれぞれに接続された２つの前記端子を収容する２つの端子キャビティを有する、請求項１に記載のコネクタ構造体。
【請求項３】
電線の端末に接続された端子と、
前記端子が収容される電線用コネクタハウジングと、を備え、
前記コネクタハウジングには、前記電線の配索される領域に、前記電線の外周にフェライトコアを配置可能な配置部を有する、電線用コネクタ。
【請求項４】
前記電線用コネクタハウジングは、第１ハウジングと第２ハウジングとが一体に組み付けられてなる、請求項３に記載の電線用コネクタ。
【請求項５】
前記電線用コネクタハウジングは、２本の電線の端末のそれぞれに接続された２つの前記端子を収容する２つの端子キャビティを有し、
前記端子は、前記電線が載置される底壁と、前記底壁の側縁から突出すると共に前記電線の外周に圧着するワイヤーバレルと、を有し、
前記端子は、前記２つの端子キャビティのそれぞれの内部において、前記底壁が互いに向かい合うように配されている、請求項３または請求項４に記載の電線用コネクタ。
【請求項６】
前記フェライトコアは、一対の半割体が組み合わされてなる、請求項３から請求項５のいずれか一項に記載の電線用コネクタ。
【発明の詳細な説明】
【技術分野】
【０００１】
本明細書に開示された技術は、電線用コネクタと、この電線用コネクタとジョイントコネクタとを備えたコネクタ構造体に関する。
【背景技術】
【０００２】
従来、ジョイントコネクタと、電線用コネクタとを備えたコネクタ構造体として、特開２０１３−２５９１７号公報に記載のものが知られている。
【０００３】
ジョイントコネクタは、複数の雄タブを連結する基部を有する雄端子と、この雄端子を収容するジョイントコネクタハウジングと、を有する。電線用コネクタは、電線の端部に接続された複数の端子と、複数の端子を収容する電線用コネクタハウジングと、を有する。
【０００４】
上記のジョイントコネクタには、各雄端子の外周にフェライトコアが配されている。このフェライトコアにより、電線の高周波領域におけるノイズが除去されるようになっている。
【先行技術文献】
【特許文献】
【０００５】
【特許文献１】特開２０１３−２５９１７号公報
【発明の概要】
【発明が解決しようとする課題】
【０００６】
しかしながら、上記の構成によると、各雄タブの外周には、フェライトコアを配するためのスペースが必ず必要となるので、ジョイントコネクタを小型化することが困難である。このため、コネクタ構造体を全体として小型化することは困難であった。
【０００７】
また、複数の雄タブの中には、高周波領域におけるノイズを含まないものがある場合がある。このように、高周波領域におけるノイズを含まない雄タブに対してフェライトコアを配するのは無駄であり、製造コストを上昇させるという問題がある。
【０００８】
本明細書に開示された技術は上記のような事情に基づいて完成されたものであって、コネクタ構造体の小型化を図ると共に、製造コストを低減させる技術を提供することを目的とする。
【課題を解決するための手段】
【０００９】
本明細書に開示された技術は、複数のタブを連結する基部を有するジョイント端子がジョイントコネクタハウジングに収容されたジョイントコネクタと、前記ジョイントコネクタと嵌合可能であって、電線に接続された端子を収容する電線用コネクタハウジングを有する電線用コネクタと、を含むコネクタ構造体であって、前記電線用コネクタハウジングは、前記電線の配索される領域に、前記電線の外周にフェライトコアを配置可能な配置部を有する。
【００１０】
本明細書に開示された技術は、電線用コネクタであって、電線の端末に接続された端子と、前記端子が収容される電線用コネクタハウジングと、を備え、前記コネクタハウジングには、前記電線の配索される領域に、前記電線の外周にフェライトコアを配置可能な配置部を有する。
【００１１】
上記の構成によれば、ジョイントコネクタハウジングにはフェライトコアが配置されていないので、ジョイントコネクタを小型化することができる。これにより、コネクタ構造体を全体として小型化することができる。
【００１２】
また、上記の構成によれば、電線用コネクタハウジングに、フェライトコアを選択的に配置することができる。これにより、高周波領域におけるノイズを含まない電線については、外周にフェライトコアを配置しない構成とすることができるので、全てのタブの外周にフェライトコアを配置する場合に比べて、コネクタ構造体のコストを低減させることができる。
【００１３】
本明細書に開示された技術の実施態様としては以下の態様が好ましい。
【００１４】
前記電線用コネクタハウジングは、２本の電線の端末のそれぞれに接続された２つの前記端子を収容する２つの端子キャビティを有することが好ましい。
【００１５】
上記の構成によれば、２本の電線が接続された電線用コネクタを１つの単位として、フェライトコアを選択的に装着することができる。高周波領域におけるノイズが含まれる電線には信号が流される場合があり、このような信号が流される信号線は、２本の電線が１組となる場合が多い。上記の技術は、このような場合に有効である。
【００１６】
前記電線用コネクタハウジングは、第１ハウジングと第２ハウジングとが一体に組み付けられてなることが好ましい。
【００１７】
上記の構成によれば、第１ハウジングと第２ハウジングとを組み付けるという簡易な手法により、電線用コネクタを製造することができる。
【００１８】
前記電線用コネクタハウジングは、２本の電線の端末のそれぞれに接続された２つの前記端子を収容する２つの端子キャビティを有し、前記端子は、前記電線が載置される底壁と、前記底壁の側縁から突出すると共に前記電線の外周に圧着するワイヤーバレルと、を有し、前記端子は、前記２つの端子キャビティのそれぞれの内部において、前記底壁が互いに向かい合うように配されていることが好ましい。
【００１９】
上記の構成によれば、底壁に載置されてワイヤーバレルにより圧着された電線を、近接して配することができる。これにより、電線の外周に配されるフェライトコアを小型化することができるので、電線用コネクタを小型化することができる。
【００２０】
前記フェライトコアは、一対の半割体が組み合わされてなることが好ましい。
【００２１】
上記の構成によれば、電線に端子を接続した後に、一対の半割体の一方に電線を配置し、その後、一対の半割体の他方を組み付ければよいので、電線用コネクタの製造工程を簡略化できる。
【発明の効果】
【００２２】
本明細書に開示された技術によれば、コネクタ構造体の小型化を図ると共に、製造コストを低減させることができる。
【図面の簡単な説明】
【００２３】
【図１】実施形態１に係るコネクタ構造体を示す分解斜視図
【図２】ジョイントコネクタを示す正面図
【図３】図２におけるＩＩＩ−ＩＩＩ線断面図
【図４】図２におけるＩＶ−ＩＶ線断面図
【図５】コネクタ構造体を示す断面図
【図６】第１ハウジングを示す斜視図
【図７】第１ハウジングを示す平面図
【図８】第１ハウジングを示す断面図
【図９】第２ハウジングを示す側面図
【図１０】第２ハウジングを示す断面図
【図１１】第２ハウジングを示す底面図
【図１２】電線用コネクタを示す斜視図
【図１３】電線用コネクタを示す斜視図
【図１４】電線用コネクタを示す平面図
【図１５】図１４におけるＸＶ−ＸＶ線断面図
【図１６】電線用コネクタを示す断面図
【図１７】フェライトコアの挿通孔に電線を挿通させた状態を示す斜視図
【図１８】電線の端部を皮剥ぎして露出させた芯線を雌端子に接続する前の状態を示す斜視図
【図１９】電線に雌端子を接続した状態を示す斜視図
【図２０】第１ハウジングに雌端子とフェライトコアを収容した状態を示す斜視図
【図２１】第１ハウジングに雌端子とフェライトコアを収容した状態を示す平面図
【図２２】実施形態２に係るフェライトコアを示す分解斜視図
【発明を実施するための形態】
【００２４】
＜実施形態１＞
本明細書に開示された技術の実施形態１を、図１から図２１を参照しつつ説明する。図１に示すように、本実施形態に係るコネクタ構造体１０は、ジョイントコネクタ１１と、ジョイントコネクタ１１と嵌合可能な電線用コネクタ１２と、を備える。以下の説明においては、矢線Ｕで示す方向を上方とする。前後方向については、ジョイントコネクタ１１、及び電線用コネクタ１２の嵌合方向を前方とする。左右方向については、ジョイントコネクタ１１、及び電線用コネクタ１２の嵌合方向の前方を基準にする。また、複数の同一部材については、一部の部材に符号を付し、他の部材については符号を省略する場合がある。
【００２５】
（ジョイントコネクタ１１）
図２から図４に示すように、ジョイントコネクタ１１は、複数（本実施形態では２つ）のジョイント端子１３と、ジョイント端子１３を収容するジョイントコネクタハウジング１４と、を備える。ジョイント端子１３は、導電性の金属板材を所定の形状にプレス加工してなる。ジョイント端子１３は、前方に突出する複数（本実施形態では１０個）のタブ１５と、複数のタブ１５の後端部を連結する基部１６と、を有する。
【００２６】
ジョイントコネクタハウジング１４は、絶縁性の合成樹脂製であって、電線用コネクタ１２ハウジングが嵌合可能な複数（本実施形態では１０個）のコネクタキャビティ１７が、左右方向に並ぶと共に、上下に２段に並んで形成されている。コネクタキャビティ１７は前方に開口している。コネクタキャビティ１７の断面形状は、上下方向に細長い略長方形状をなしている。各コネクタキャビティ１７の内部には、それぞれ、２つのタブ１５が上下方向に間隔を空けて、並んで配されている。
【００２７】
図５に示すように、キャビティの上壁には、キャビティの内方に突出するランス１８が弾性変形可能に形成されている。ランス１８は、後述する電線用コネクタハウジング１９のランス係止部２０と弾性的に係止することにより、電線用コネクタハウジング１９を前方に抜け止め保持するようになっている。
【００２８】
コネクタキャビティ１７の後壁には、後方に開口する２つのスリット２１が、左右方向に延びると共に上下に並んで形成されている。各スリット２１にはそれぞれ、ジョイント端子１３の基部１６が収容される。
【００２９】
（電線用コネクタ１２）
電線用コネクタ１２は、電線２２の端部に接続された雌端子２３（端子の一例）と、雌端子２３を収容する電線用コネクタハウジング１９と、を有する。
【００３０】
図１８に示すように、雌端子２３は、導電性の金属板材を所定の形状にプレス加工することにより形成される。雌端子２３は、電線２２の芯線２４が載置される底壁２５と、底壁２５の左右両側縁から突出すると共に芯線２４の外周に圧着するワイヤーバレル２６と、を備える。芯線２４の外周にワイヤーバレル２６が圧着することにより、電線２２と雌端子２３とが電気的に接続されるようになっている。
【００３１】
底壁２５の後方には、芯線２４の外周を包囲する絶縁被覆２７に圧着するインシュレーションバレル２８が、底壁２５に連なって形成されている。底壁２５の前方には、タブ１５が挿入される接続筒部２９が、底壁２５に連なって形成されている。接続筒部２９の内部には弾性変形可能な舌片（図示せず）が形成されており、この舌片がタブ１５と弾性的に接触することにより、ジョイント端子１３と雌端子２３とが電気的に接続されるようになっている。
【００３２】
図１２から図１４に示すように、電線用コネクタ１２の後端部からは、複数（本実施形態では２本）の電線２２が後方に導出されている。２本の電線２２は、電線用コネクタ１２から導出された後、撚り合わされている。２本の電線２２はいわゆるツイストペア電線とされており、信号線として使用される。
【００３３】
電線用コネクタハウジング１９は、絶縁性の合成樹脂からなる。電線用コネクタハウジング１９は、第１ハウジング３０と、第１ハウジング３０に一体に組み付けられる第２ハウジング３１と、を有する。
【００３４】
（第１ハウジング３０）
図６から図８に示すように、第１ハウジング３０には、雌端子２３が収容される複数（本実施形態では２つ）の端子キャビティ３２が、前後方向に延びると共に、間隔を空けて並んで形成されている。各端子キャビティ３２の前壁には、タブ１５が挿通される窓孔３３が、前壁を前後方向に貫通して形成されている。
【００３５】
２つの端子キャビティ３２は、前後方向に延びる仕切り壁３４によって仕切られている。この仕切り壁３４によって、２つの雌端子２３は絶縁されている。仕切り壁３４の突出縁部には、前後方向に延びる係合溝３５が凹んで形成されている。この係合溝３５は、後述する第１ハウジング３０の係合リブ３６と係合するようになっている。
【００３６】
図２１に示すように、端子キャビティ３２の内壁のうち、接続筒部２９に対応する位置には、仕切り壁３４と反対方向に凹んだ係止凹部３７が形成されている。この係止凹部３７は、接続筒部２９の外面に外方に突出して形成された係止凸部３８と係止することにより、雌端子２３を前後方向に抜け止めするようになっている。
【００３７】
図１５に示すように、２つの雌端子２３は、それぞれ、各端子キャビティ３２内に収容された状態で、仕切り壁３４を挟んで、底壁２５が互いに向かい合う姿勢になっている。換言すると、２つの雌端子２３のうち一方の雌端子２３の底壁２５は、他方の雌端子２３側に位置し、他方の雌端子２３の底壁２５は、一方の雌端子２３側に位置するようになっている。
【００３８】
第１ハウジング３０の側壁には、外方に突出するランス係止部２０が形成されている。このランス係止部２０が、上記したランス１８と係止するようになっている。
【００３９】
第１ハウジング３０の後壁には、２つの溝部３９が、間隔を空けて並んで形成されている。溝部３９の断面形状は、電線２２の外形状と同じか、やや大きく形成されている。これにより、溝部３９内に電線２２が収容されるようになっている。
【００４０】
第１ハウジング３０の後壁よりもやや前方の位置であって、電線２２が配索される領域には、フェライトコア４０を配置可能な第１配置部４１が形成されている。
【００４１】
図１７に示すように、フェライトコア４０は、前後方向に扁平な略直方体形状をなしている。フェライトコア４０の前後方向に延びる稜部は曲面状に面取りされている。フェライトコア４０には、前後方向に貫通する２つの挿通孔４２が間隔を空けて並んで形成されている。挿通孔４２の内径寸法は、電線２２の外径寸法と同じか、やや大きく設定されている。これにより、電線２２が挿通孔４２に挿通可能になっている。
【００４２】
第１配置部４１の前後方向の長さ寸法は、フェライトコア４０の前後方向の長さ寸法と同じか、やや大きく設定されている（図１６参照）。第１配置部４１の、前後方向と直交する方向の幅寸法は、フェライトコア４０の、挿通孔４２の貫通方向と直交する方向の幅寸法と同じか、やや大きく設定されている（図２１参照）。
【００４３】
（第２ハウジング３１）
図９から図１１に示すように、第２ハウジング３１は、第１ハウジング３０に対して端子キャビティ３２を覆うように組み付けることが可能になっている。第２ハウジング３１の内面には、第１ハウジング３０の仕切り壁３４の係合溝３５内に嵌入する係合リブ３６が前後方向に延びると共に突出して形成されている。
【００４４】
図１６に示すように、第２ハウジング３１の後端部には、第１ハウジング３０と第２ハウジング３１とが組み付けられた状態で、第１ハウジング３０の第１配置部４１と対応する位置に、第２配置部４３が形成されている。第２配置部４３の前後方向の長さ寸法は、フェライトコア４０の前後方向の長さ寸法と同じか、又はやや大きく設定されている。第１配置部４１と第２配置部４３とにより、電線用コネクタハウジング１９内にフェライトコア４０を配置可能な配置部４４が形成される。
【００４５】
第２ハウジング３１の側壁には弾性変形可能なロック部４５が形成されており、第１ハウジング３０の側壁にはロック部４５に対応する位置に、ロック部４５と係止するロック受け部４６が外方に突出して形成されている。ロック受け部４６にロック部４５が弾性的に係止することにより、第１ハウジング３０と第２ハウジング３１とが一体に組み付けられるようになっている。
【００４６】
（コネクタ構造体１０の製造工程）
続いて、コネクタ構造体１０の製造工程の一例について説明する。コネクタ構造体１０の製造工程は、以下の説明に限定されない。
【００４７】
合成樹脂を射出成型することによりジョイントコネクタ１１を形成する。金属板材をプレス加工することによりジョイント端子１３を形成する。ジョイント端子１３をジョイントコネクタ１１のスリット２１に後方から挿入することによりジョイントコネクタ１１を形成する（図１参照）。
【００４８】
合成樹脂を射出成型することにより、第１ハウジング３０及び第２ハウジング３１を所定の形状に形成する。
【００４９】
図１７に示すように、フェライトコア４０の挿通孔４２に電線２２を挿入する。図１８に示すように、電線２２の端部を皮剥ぎして芯線２４を露出させる。図１９に示すように、芯線２４の外周にワイヤーバレル２６を圧着し、絶縁被覆２７の外周にインシュレーションバレル２８を圧着する。図１９に示すように、電線２２の外周にフェライトコア４０が配され、且つ、電線２２の端部に雌端子２３が接続された状態のものを、第１ハウジング３０に矢線Ａで示す方向から組み付ける。具体的には、第１ハウジング３０の端子キャビティ３２に雌端子２３を収容し、第１配置部４１にフェライトコア４０を配置する。図２０に示すように、第１ハウジング３０に第２ハウジング３１を矢線Ｂで示す方向から組み付ける。このとき、第２ハウジング３１の第２配置部４３内にフェライトコア４０の一部が配置される。
【００５０】
一方、フェライトコア４０の挿通孔４２に挿入しない状態で、電線２２の端部を皮剥ぎして芯線２４を露出させる。芯線２４の外周にワイヤーバレル２６を圧着し、絶縁被覆２７の外周にインシュレーションバレル２８を圧着する。電線２２にはフェライトコア４０が配されていない状態で、電線２２の端部に雌端子２３が接続された状態のものを、第１ハウジング３０に組み付ける。具体的には、第１ハウジング３０の端子キャビティ３２に雌端子２３を収容し、第１配置部４１には、何も配置しない。第１ハウジング３０に第２ハウジング３１を組み付ける。
【００５１】
上記のようにして、フェライトコア４０が配された電線用コネクタ１２と、フェライトコア４０が配されていない電線用コネクタ１２とを、選択的に作製する。
【００５２】
図５に示すように、ジョイントコネクタ１１のコネクタキャビティ１７内に、電線用コネクタ１２を嵌合させる。このとき、高周波領域におけるノイズ除去が必要なタブ１５には、フェライトコア４０が配された電線用コネクタ１２を接続する。一方、高周波領域におけるノイズ除去が不要なタブ１５には、フェライトコア４０が配されていない電線用コネクタ１２を接続する。これにより、コネクタ構造体１０が完成する。
【００５３】
（実施形態の作用効果）
続いて、本実施形態の作用効果について説明する。本実施形態に係るコネクタ構造体１０は、複数のタブ１５を連結する基部１６を有するジョイント端子１３がジョイントコネクタハウジング１４に収容されたジョイントコネクタ１１と、ジョイントコネクタ１１と嵌合可能であって、電線２２に接続された雌端子２３を収容する電線用コネクタハウジング１９を有する電線用コネクタ１２と、を含むコネクタ構造体１０であって、電線用コネクタハウジング１９は、電線２２の配索される領域に、電線２２の外周にフェライトコア４０を配置可能な配置部４４を有する。
【００５４】
また、本実施形態に係る電線用コネクタ１２は、電線２２の端末に接続された雌端子２３と、雌端子２３が収容される電線用コネクタハウジング１９と、を備え、コネクタハウジングには、電線２２の配索される領域に、電線２２の外周にフェライトコア４０を配置可能な配置部４４を有する。
【００５５】
上記の構成によれば、ジョイントコネクタハウジング１４にはフェライトコア４０が配置されていないので、ジョイントコネクタ１１を小型化することができる。これにより、コネクタ構造体１０を全体として小型化することができる。
【００５６】
また、上記の構成によれば、電線用コネクタハウジング１９に、フェライトコア４０を選択的に配置することができる。これにより、高周波領域におけるノイズを含まない電線２２については、外周にフェライトコア４０を配置しない構成とすることができるので、全てのタブ１５の外周にフェライトコア４０を配置する場合に比べて、コネクタ構造体１０のコストを低減させることができる。
【００５７】
本実施形態によれば、電線用コネクタハウジング１９は、２本の電線２２の端末のそれぞれに接続された２つの雌端子２３を収容する２つの端子キャビティ３２を有する。
【００５８】
上記の構成によれば、２本の電線２２が接続された電線用コネクタ１２を１つの単位として、フェライトコア４０を選択的に装着することができる。高周波領域におけるノイズが含まれる電線２２には信号が流される場合があり、このような信号が流される信号線は、２本の電線２２が１組とされる場合が多い。上記の技術は、このような場合に有効である。
【００５９】
本実施形態によれば、電線用コネクタハウジング１９は、第１ハウジング３０と第２ハウジング３１とが一体に組み付けられてなる。
【００６０】
上記の構成によれば、第１ハウジング３０と第２ハウジング３１とを組み付けるという簡易な手法により、電線用コネクタ１２を製造することができる。
【００６１】
本実施形態によれば、電線用コネクタハウジング１９は、２本の電線２２の端末のそれぞれに接続された２つの雌端子２３を収容する２つの端子キャビティ３２を有し、雌端子２３は、電線２２が載置される底壁２５と、底壁２５の側縁から突出すると共に電線２２の外周に圧着するワイヤーバレル２６と、を有し、雌端子２３は、２つの端子キャビティ３２のそれぞれの内部において、底壁２５が互いに向かい合うように配されている。
【００６２】
上記の構成によれば、底壁２５に載置されてワイヤーバレル２６により圧着された電線２２を、近接して配することができる。これにより、電線２２の外周に配されるフェライトコア４０を小型化することができるので、電線用コネクタ１２を小型化することができる。
【００６３】
＜実施形態２＞
次に、本明細書に開示された技術の実施形態２を、図２２を参照しつつ説明する。本実施形態においては、フェライトコア５０は、一対の半割体５１Ａ，５１Ｂが組み合わされてなる。
【００６４】
半割体５１Ａには２つの半割溝部５２Ａが間隔を空けて並んで形成されており、半割体５１Ｂには２つの半割溝部５２Ｂが間隔を空けて並んで形成されている。一対の半割体５１Ａ、５１Ｂが組み合わされた状態で、半割溝部５２Ａと半割溝部５２Ｂとの隙間に、電線２２が配置される。
【００６５】
上記以外の構成については、実施形態１と略同様なので、同一部材については同一符号を付し、重複する説明を省略する。
【００６６】
本実施形態によれば、フェライトコア４０の挿通孔４２に電線２２を挿通させた後に、電線２２の絶縁被覆２７を皮剥ぎし、露出した芯線２４にワイヤーバレル２６を圧着するという工程が不要となる。具体的には、電線２２に雌端子２３を接続した後に、一方の半割体５１Ａに電線２２を配置し、その後、他方の半割体５１Ｂを組み付ければよいので、電線用コネクタ１２の製造工程を簡略化できる。
【００６７】
＜他の実施形態＞
本明細書に開示された技術は上記記述及び図面によって説明した実施形態に限定されるものではなく、例えば次のような実施形態も本明細書に開示された技術の技術的範囲に含まれる。
【００６８】
（１）実施形態１及び２においては、電線用コネクタ１２からは２本の電線２２が導出される構成としたが、これに限られず、電線用コネクタ１２には、１本の電線２２が接続される構成としてもよく、また、３本以上の電線２２が接続される構成としてもよい。
【００６９】
（２）実施形態１及び２においては、電線用コネクタ１２には雌端子２３が収容される構成としたが、これに限られず、電線用コネクタ１２に配される端子は雄端子であってもよい。
【００７０】
（３）実施形態１及び２においては、２つの端子は、互いの底壁２５が向かい合う姿勢で配置される構成としたが、これに限られず、底壁２５が同じ方向を向く姿勢で配される構成としてもよい。
【００７１】
（４）実施形態１及び２においては、電線用コネクタハウジング１９は第１ハウジング３０と第２ハウジング３１とを一体に組み付ける構成としたが、これに限られず、電線用コネクタハウジング１９は、一体ものでもよい。また、電線用コネクタハウジング１９は、３つ以上の部材を一体に組み付ける構成としてもよい。
【００７２】
（５）本実施形態においては、ジョイントコネクタ１１は２つのジョイント端子１３を有する構成としたが、これに限られず、ジョイントコネクタ１１は、１つのジョイント端子１３、又は、３つ以上のジョイント端子１３を有する構成としてもよい。
【符号の説明】
【００７３】
１０：コネクタ構造体
１１：ジョイントコネクタ
１２：電線用コネクタ
１３：ジョイント端子
１４：ジョイントコネクタ１１ハウジング
１５：タブ
１６：基部
１９：電線用コネクタハウジング
２２：電線
２３：雌端子
２５：底壁
２６：ワイヤーバレル
３０：第１ハウジング
３１：第２ハウジング
３２：端子キャビティ
４０：フェライトコア
４１：第１配置部
４３：第２配置部
５１Ａ，５１Ｂ：半割体
【図１】
2019102410.tif 000003
【図２】
2019102410.tif 000004
【図３】
2019102410.tif 000005
【図４】
2019102410.tif 000006
【図５】
2019102410.tif 000007
【図６】
2019102410.tif 000008
【図７】
2019102410.tif 000009
【図８】
2019102410.tif 000010
【図９】
2019102410.tif 000011
【図１０】
2019102410.tif 000012
【図１１】
2019102410.tif 000013
【図１２】
2019102410.tif 000014
【図１３】
2019102410.tif 000015
【図１４】
2019102410.tif 000016
【図１５】
2019102410.tif 000017
【図１６】
2019102410.tif 000018
【図１７】
2019102410.tif 000019
【図１８】
2019102410.tif 000020
【図１９】
2019102410.tif 000021
【図２０】
2019102410.tif 000022
【図２１】
2019102410.tif 000023
【図２２】
2019102410.tif 000024